(57)【要約】【課題】手押し歩行補助車内に設けている椅子に高齢者が腰掛ける際、手押し歩行補助車が揺れ腰掛ける時転倒する等、又、狭い家庭内で手押し歩行補助車を使用する場合、車の方向転換が障害となり、家庭内での使用には適していなかった。【解決手段】本発明の、ブレーキ機能を有する歩行補助手押し車は、適度の加重で車輪が沈むブレーキ機構が付いている為、腰掛ける際、歩行補助車が揺れる事が無く安心して腰掛ける事が出来又、手押し手摺が前部に倒れる構造の為、手押し歩行補助車の方向転換を必要としない等、狭い場所での介護用車椅子としても使用ができる特徴が有る。【選択図】図１
2006282154.tif 000002
【特許請求の範囲】
【請求項１】
歩行補助手押し車、車輪固定支持部材に伸縮機能を設け、車輪、固定支持部材に適度の加重が加わると固定支持部材が縮む機能を設けた事を特徴とする、特許請求項１のブレーキ機能を有する歩行補助手押し車。
【請求項２】
車輪固定支持部材の、伸縮機能作用を制御する、部材を車輪固定支持部材内に設けた事を特徴とする、特許請求項１のブレーキ機能を有する歩行補助手押し車。
【請求項３】
歩行補助手押し車内に、手押し手摺が前後に倒れ固定できる部材を設け、前後どの方向からも歩行補助手手押し車を、操作が出来る事を特徴とする、特許請求項の２ブレーキ機能を有する歩行補助手押し車。
【発明の詳細な説明】
【技術分野】
【０００１】  本発明は、高齢者の方が、足腰が衰え、歩行時に活用する歩行補助手押し車に関する。
【背景技術】
【０００２】  歩行補助手押し車のブレーキに関するもので、既存のブレーキレバー等は手押し車、手摺内に設けて有る。【０００３】  市場に出回っている、歩行補助車の歩行時の車を止めるブレーキとしての機能は、それなりに効果を得ている。【０００４】  ブレーキを保持し固定する機能を付いた手押し車も有るが、ブレーキ保持機能を操作するには、中腰になり操作しなければならない等の欠点も有る。【０００５】  又、歩行補助手押し車内に座る為の椅子を設けた歩行補助手押し車も有る。【０００６】  歩行補助手押し車内に設けた椅子に座る際、歩行補助手押し車のブレーキが固定去れていない為、高齢者の方が高齢の為、足腰が衰え最も苦労する、座ろうとする中腰の姿勢時に、手押し車が前後に揺れる欠点が有り、高齢者の転倒する等が生ずる事が有った。【０００７】  既存の歩行補助手押し車は、主に屋外での使用に考案された物で、家庭内の狭い場所での歩行補助手押し車の活用には、手押し車の方向を転換する際屋内が狭い為、使用がふむきであった。
【特許文献１】特願２００１−２９５８０４
【特許文献２】特願２０００−０３５９２３
【発明の開示】
【発明が解決しようとする課題】
【０００８】  解決しようとする問題点は、歩行補助手押し車に高齢者が座る、立ち等姿勢時に、歩行補助手押し車が揺れる事、又、歩行補助手押し車を屋内で使用する際、狭い場所での手押し車の方向転換の操作を必要とする等の欠点で有る。
【課題を解決しようとする課題】
【０００９】  本発明は、歩行補助手押し車、車輪固定支持部材に、車輪伸縮機能を設けて有る為に、高齢者が、座る、立つ等の際、手摺椅子等に適度の力が加わると、車輪が縮み、手押し車下部が床に接し手押し車の揺れが生じない構造になっている。
【００１０】  歩行補助手押し車、手押し手摺りを、前後に倒し固定出来る機能を有する部材を設けている為、歩行補助手押し車の歩行転換の操作を必要としない等を最も主要な特徴とする。
【発明の効果】
【００１１】  本発明の、ブレーキ機能を有する歩行補助手押し車は、高齢者が歩行補助手押し車に、座る、立つ等の際に適度の加重が手押し車に加わる為、車輪が縮み、手押し車下部が床に接する為に手押し車の揺れが防止でき、既存のブレーキの様に車輪を圧迫固定する機構の、ブレーキ保持機能を必要としない。
【００１２】  本発明の、ブレーキ機能を有する歩行補助手押し車は、手押し手摺を前方に倒す事により、歩行補助手押し車の方向転換を必要とせず、又、手押し手摺を前後に倒す事ができる為、どの方向からも椅子に座る事が出来る等、狭い屋内の歩行補助車として利点が有る。
【発明を実施する為の最良の形態】
【００１３】  ブレーキ機能を有する歩行補助手押し車は、高齢者の椅子に座る時の加重で車輪が縮ように構成され、手押し手摺固定部材が既存の部品を活用し製品ができ実現した。
【実施例１】
【００１４】  図１の、本発のブレーキ機能を有する歩行補助手押し車斜視図で手押し手摺を前部に倒した、１と２は実施図である。【００１５】  図２の、手押し歩行補助車下端に設けている、ブレーキ機能を有する伸縮部材５と同じく伸縮部材６である。【００１６】  図３は、ブレーキ機能を有する伸縮部材５、６の部分拡大側面図である。【００１７】  図４の１は、ブレーキ機能を有する歩行補助手押し車の手押し手摺で、高齢者が椅子に座った際、手摺が背もたれの機能をする、角度とした実施図である。【００１８】  図４の２は、ブレーキ機能を有する歩行補助手押し車の、手摺が前後に倒れ固定できる部材７である。【００１９】  図５は、手押し車の手押し手摺を前後に倒し固定出来る部材７の部分拡大図で有る。【００２０】  図６は、ブレーキ機能を有する歩行補助手押し車を介護用車椅子とし活用した図で部材８は、介護者の足を添える部材と車輪固定支持部材の、伸縮機能作用を制御するレバー９である。【００２１】  図６の介護用車椅子として活用する場合、本発明のブレーキ機能を有する歩行補助手押し車の、車輪固定支持部材に伸縮機能を設けた伸縮部材の伸縮作用を制御する部材を動かす、手押し手摺内に設けた握りレバー９の部材である。【００２２】  本発明のブレーキ機能を有する歩行補助手押し車の手押し手摺は、鋼管パイプ又は、曲げ木木材を活用しても良く手摺に加わる強度に耐える部材であれば、プラスチック等を用いても良い。【００２３】  歩行補助手押し車の、手押し手摺を固定し支持する部材７は、手押し手摺が前後に倒れ受け止め支持機能を有し、手押し手摺に過度の加重が加わっても耐えられる構造材質で有れば既存のどのような構造の部材を活用しても良い。【００２４】  歩行補助手押し車の車輪固定支持部材に伸縮機能を設けた伸縮部材５、６は、車輪、車輪固定支持部材に適度の加重が加わると伸縮する部材で、コイルスプリング、板バネ適度の伸縮効果の有る部材であれば、どのような部材でも良く、バネ、空気、油等を密封された、シリンダー等を用いても良い。【００２５】  本発明の、ブレーキ機能を有する歩行補助手押し車を介護用、屋内車椅子として活用する場合、車輪伸縮機能を制御する為に、歩行補助手押し車の車輪固定支持部材の伸縮機能を制御する構造は、手押し手摺内に設けている、握りレバー部材は、握る事による力を、ワイヤー等を用いて伸縮部材の伸縮を制御する為の物で、制御部材の構造、材質等は、既存の公知の技術を活用しても良く、握りレバー等からのワイヤーからの握る力で伸縮支持部材そのものを締め付け固定制御しても良い。【００２６】  従来の、介護用車椅子等では、狭い家庭内で使用するには、車椅子の車輪が椅子の両サイドに設けた構造の為、車椅子の幅が大きく、又狭い屋内での車椅子の方向転換が障害となり家庭内での使用にはふむきであった。
【産業上の利用可能性】
【００２７】  本発明のブレーキ機能を有する歩行補助手押し車の車輪が、手押し車下部に設置している為、狭い屋内での使用に適し、又、手押し手摺が前部に倒れる構造になっている為、車椅子の方向転換を必要としない等、狭い屋内での操作性が優れた介護用車椅子としても活用できる。【００２８】  上記記述した、家庭内用車椅子としての優れた機能を有する他、手摺３内に椅子２を昇降起動を即するスイッチ等を設け、椅子２下部に昇降装置を設ける事により高齢者の方が最も苦労する、椅子に座る、立ち等の時の、中腰の姿勢の介護に役立つ昇降機能付き座椅子になる等の、新機能を有する座椅子として活用出来る。
【図面の簡単な説明】
【００２９】
【図１】歩行補助手押し車斜視図
【図２】手押し歩行補助車下端に設けている伸縮部材５、６斜視図
【図３】伸縮部材部分拡大側面図
【図４】手押し手摺支持固定部材斜視図
【図５】手押し手摺支持固定部材拡大側面図
【図６】手押し歩行補助手車を家庭内用車椅子として活用した実施斜視図
【符号の説明】
【００３０】１  手押し手摺
２  椅子
３  手摺
４  車輪  キャスター
５  伸縮部材
６  バネ  コイルバネ
７  手押し手摺固定支持部材
８  介護者が足を揃える踏み板
９  車輪固定支持部材の、伸縮機能作用を制御する部材レバー
【図１】
2006282154.tif 000003
【図２】
2006282154.tif 000004
【図３】
2006282154.tif 000005
【図４】
2006282154.tif 000006
【図５】
2006282154.tif 000007
【図６】
2006282154.tif 000008